【手続補正書】
【提出日】平成24年9月18日(2012.9.18)
【手続補正１】
【補正対象書類名】明細書
【補正対象項目名】０００６
【補正方法】変更
【補正の内容】
【０００６】
上記目的を達成するため、本発明の第１の観点にかかる画像処理装置は、
動画像データを取得する動画像データ取得手段と、
前記動画像データ取得手段が取得した動画像データを構成しているフレーム画像を、時系列に展開してバッファするバッファ手段と、
前記バッファ手段が展開したフレーム画像から、異なる２以上のフレーム画像を選択する画像選択手段と、
複数の表示枠を有する表示画面を生成し、前記画像選択手段が選択した複数のフレーム画像のそれぞれを、前記表示枠のそれぞれに割り当てて合成する画像合成手段と、
前記画像合成手段によって合成された表示画面をフレーム画像とした動画像データを生成する動画生成手段と、
前記動画生成手段が生成した動画像データを記録する記録手段と、
を備えることを特徴とする。
【手続補正２】
【補正対象書類名】明細書
【補正対象項目名】０００８
【補正方法】変更
【補正の内容】
【０００８】
上記画像処理装置において、
前記画像合成手段は、前記画像選択手段が選択したフレーム画像のうち、基準となる記録タイミングのフレーム画像が割り当てられる少なくとも一の主表示枠と、該主表示枠に割り当てられたフレーム画像とは記録タイミングの異なるフレーム画像が割り当てられる１以上の副表示枠と、を有する表示画面を生成することが望ましい。
【手続補正３】
【補正対象書類名】明細書
【補正対象項目名】０００９
【補正方法】変更
【補正の内容】
【０００９】
上記画像処理装置は、
少なくとも、前記画像合成手段が生成した表示画面毎の識別情報と、該表示画面の表示枠それぞれを示す識別情報と、該表示枠に割り当てたフレーム画像を示す識別情報と、を対応づけた対応情報を生成し、該対応情報を、前記動画生成手段が生成した動画像データに対応づけて記録する対応情報記録手段と、
前記記録手段が記録した動画像データを再生し、前記表示画面の副表示枠が選択可能となるよう表示装置に表示出力する再生手段と、をさらに備えていることが望ましく、この場合、
該再生手段は、表示出力する表示画面上で副表示枠が選択された場合、前記対応情報に基づいて、選択された副表示枠に割り当てられているフレーム画像が前記主表示枠に割り当てられている表示画面を特定し、該特定した表示画面から再生されるよう表示出力することが望ましい。
【手続補正４】
【補正対象書類名】明細書
【補正対象項目名】００１０
【補正方法】変更
【補正の内容】
【００１０】
上記画像処理装置は、
少なくとも、前記画像合成手段が生成した表示画面毎の識別情報と、該表示画面の表示枠それぞれを示す識別情報と、該表示枠に割り当てたフレーム画像を示す識別情報と、を対応づけた対応情報を生成し、該対応情報を、前記動画生成手段が生成した動画像データに対応づけて記録する対応情報記録手段と、
前記記録手段が記録した動画像データを再生し、前記表示画面の副表示枠が選択可能となるよう表示装置に表示出力する再生手段と、
前記表示出力する表示画面上で副表示枠が選択された場合、前記対応情報に基づいて、選択された副表示枠に割り当てられているフレーム画像が前記主表示枠に割り当てられている表示画面を特定し、該特定した表示画面の前記主表示枠に割り当てられているフレーム画像を記録するフレーム画像記録手段と、をさらに備えていることが望ましい。
【手続補正５】
【補正対象書類名】明細書
【補正対象項目名】００１１
【補正方法】変更
【補正の内容】
【００１１】
上記画像処理装置において、
前記動画像データ取得手段は、
撮像手段をさらに備えていることが望ましく、この場合、
前記撮像手段によって記録された動画像データを取得することが望ましい。
【手続補正６】
【補正対象書類名】明細書
【補正対象項目名】００１２
【補正方法】変更
【補正の内容】
【００１２】
上記目的を達成するため、本発明の第２の観点にかかる動画生成方法は、
動画像データを取得する動画像データ取得ステップと、
前記動画像データ取得ステップで取得された動画像データを構成しているフレーム画像を、時系列に展開してバッファするバッファステップと、
前記バッファステップで展開されたフレーム画像から、異なる２以上のフレーム画像を選択する画像選択ステップと、
複数の表示枠を有する表示画面を生成し、前記画像選択ステップで選択された複数のフレーム画像のそれぞれを、前記表示枠のそれぞれに割り当てて合成する画像合成ステップと、
前記画像合成ステップで合成された表示画面をフレーム画像とした動画像データを生成する動画生成ステップと、
前記動画生成ステップで生成された動画像データを記録する記録ステップと、
を含むことを特徴とする。
【手続補正７】
【補正対象書類名】明細書
【補正対象項目名】００１３
【補正方法】変更
【補正の内容】
【００１３】
上記目的を達成するため、本発明の第３の観点にかかるプログラムは、
コンピュータに、
動画像データを取得する機能と、
取得した動画像データを構成しているフレーム画像を、時系列に展開してバッファする機能と、
展開されたフレーム画像から、異なる２以上のフレーム画像を選択する機能と、
複数の表示枠を有する表示画面を生成し、前記選択された複数のフレーム画像のそれぞれを、前記表示枠のそれぞれに割り当てて合成する機能と、
合成された表示画面をフレーム画像とした動画像データを生成する機能と、
前記生成した動画像データを記録する機能と、
を実現させることを特徴とする。
【手続補正８】
【補正対象書類名】特許請求の範囲
【補正対象項目名】全文
【補正方法】変更
【補正の内容】
【特許請求の範囲】
【請求項１】
動画像データを取得する動画像データ取得手段と、
前記動画像データ取得手段が取得した動画像データを構成しているフレーム画像を、時系列に展開してバッファするバッファ手段と、
前記バッファ手段が展開したフレーム画像から、異なる２以上のフレーム画像を選択する画像選択手段と、
複数の表示枠を有する表示画面を生成し、前記画像選択手段が選択した複数のフレーム画像のそれぞれを、前記表示枠のそれぞれに割り当てて合成する画像合成手段と、
前記画像合成手段によって合成された表示画面をフレーム画像とした動画像データを生成する動画生成手段と、
前記動画生成手段が生成した動画像データを記録する記録手段と、
を備えることを特徴とする画像処理装置。
【請求項２】
前記画像選択手段は、前記バッファ手段が展開したフレーム画像の時系列に基づいて、所定の時間差で記録されたフレーム画像を複数選択する、
ことを特徴とする請求項１に記載の画像処理装置。
【請求項３】
前記画像合成手段は、前記画像選択手段が選択したフレーム画像のうち、基準となる記録タイミングのフレーム画像が割り当てられる少なくとも一の主表示枠と、該主表示枠に割り当てられたフレーム画像とは記録タイミングの異なるフレーム画像が割り当てられる１以上の副表示枠と、を有する表示画面を生成する、
ことを特徴とする請求項１または２に記載の画像処理装置。
【請求項４】
少なくとも、前記画像合成手段が生成した表示画面毎の識別情報と、該表示画面の表示枠それぞれを示す識別情報と、該表示枠に割り当てたフレーム画像を示す識別情報と、を対応づけた対応情報を生成し、該対応情報を、前記動画生成手段が生成した動画像データに対応づけて記録する対応情報記録手段と、
前記記録手段が記録した動画像データを再生し、前記表示画面の副表示枠が選択可能となるよう表示装置に表示出力する再生手段と、をさらに備え、
該再生手段は、表示出力する表示画面上で副表示枠が選択された場合、前記対応情報に基づいて、選択された副表示枠に割り当てられているフレーム画像が前記主表示枠に割り当てられている表示画面を特定し、該特定した表示画面から再生されるよう表示出力する、
ことを特徴とする請求項３に記載の画像処理装置。
【請求項５】
少なくとも、前記画像合成手段が生成した表示画面毎の識別情報と、該表示画面の表示枠それぞれを示す識別情報と、該表示枠に割り当てたフレーム画像を示す識別情報と、を対応づけた対応情報を生成し、該対応情報を、前記動画生成手段が生成した動画像データに対応づけて記録する対応情報記録手段と、
前記記録手段が記録した動画像データを再生し、前記表示画面の副表示枠が選択可能となるよう表示装置に表示出力する再生手段と、
前記表示出力する表示画面上で副表示枠が選択された場合、前記対応情報に基づいて、選択された副表示枠に割り当てられているフレーム画像が前記主表示枠に割り当てられている表示画面を特定し、該特定した表示画面の前記主表示枠に割り当てられているフレーム画像を記録するフレーム画像記録手段と、をさらに備える、
ことを特徴とする請求項３に記載の画像処理装置。
【請求項６】
前記動画像データ取得手段は、
撮像手段をさらに備え、
前記撮像手段によって記録された動画像データを取得する、
ことを特徴とする請求項１乃至５のいずれか１項に記載の画像処理装置。
【請求項７】
動画像データを取得する動画像データ取得ステップと、
前記動画像データ取得ステップで取得された動画像データを構成しているフレーム画像を、時系列に展開してバッファするバッファステップと、
前記バッファステップで展開されたフレーム画像から、異なる２以上のフレーム画像を選択する画像選択ステップと、
複数の表示枠を有する表示画面を生成し、前記画像選択ステップで選択された複数のフレーム画像のそれぞれを、前記表示枠のそれぞれに割り当てて合成する画像合成ステップと、
前記画像合成ステップで合成された表示画面をフレーム画像とした動画像データを生成する動画生成ステップと、
前記動画生成ステップで生成された動画像データを記録する記録ステップと、
を含むことを特徴とする動画生成方法。
【請求項８】
コンピュータに、
動画像データを取得する機能と、
取得した動画像データを構成しているフレーム画像を、時系列に展開してバッファする機能と、
展開されたフレーム画像から、異なる２以上のフレーム画像を選択する機能と、
複数の表示枠を有する表示画面を生成し、前記選択された複数のフレーム画像のそれぞれを、前記表示枠のそれぞれに割り当てて合成する機能と、
合成された表示画面をフレーム画像とした動画像データを生成する機能と、
前記生成した動画像データを記録する機能と、
を実現させることを特徴とするプログラム。